(57)【要約】  相手側コネクタ（６）に挿入方向（４）に組み付け可能な電気プラグ型コネクタ（２）およびこの電気プラグ型コネクタの装置（１）は、外側ハウジング（８）と、外側ハウジングに固定可能な別個のコンタクトハウジング（１０）であって、電気コンタクトを受けるコンタクトレセプタクル（１２）を有するコンタクトハウジング（１０）とを有する。引張強度の高い接続のために、、装置は、外側ハウジングとコンタクトハウジングとの間に、これらハウジングのポジティブロッキング接続のための固定要素（１４）を有する。固定要素を、挿入方向に対して横断方向に延びる押込み方向（１６）でシャフト（１８）に挿入することができる。シャフトは、両ハウジングを貫通する。凹部（４８）を有する固定タブ（４６）が、コンタクトハウジング（１０）および／または外側ハウジング（８）に設けられていてよい。凹部（４８）は、シャフト（１８）の一部を形成する。【選択図】図２
2019526917.tif 000002
【特許請求の範囲】
【請求項１】
相手側コネクタ（６）に挿入方向（４）に組み付け可能な電気プラグ型コネクタ（２）の装置（１）であって、外側ハウジング（８）と、前記外側ハウジングに固定可能な別個のコンタクトハウジング（１０）であって、少なくとも１つの電気コンタクト（１３）を受けるための少なくとも１つのコンタクトレセプタクル（１２）を有するコンタクトハウジング（１０）とを有し、
前記装置（１）は、前記外側ハウジング（８）と前記コンタクトハウジング（１０）とのポジティブロッキング接続のための固定要素（１４）を有し、
前記固定要素（１４）は、前記挿入方向（４）に対して横断方向に延びる押込み方向（１６）で少なくとも１つのシャフト（１８）に挿入され、
前記シャフトは、前記外側ハウジング（８）と前記コンタクトハウジング（１０）とを通って延びることを特徴とする装置。
【請求項２】
前記固定要素（１４）はコンタクト固定部材であることを特徴とする、請求項１に記載の装置（１）。
【請求項３】
前記コンタクトハウジング（１０）および前記外側ハウジング（８）のうちの少なくとも一方に、前記挿入方向（４）に延びる少なくとも１つの固定タブ（４６）が設けられ、前記固定タブ（４６）を、前記挿入方向（４）に延び、かつ前記コンタクトハウジング（１０）および前記外側ハウジング（８）の他方に構成されている固定シャフト（５２）に導入することができ、
前記固定タブ（４６）は、前記少なくとも１つのシャフト（１８）の少なくとも一部を形成することを特徴とする、請求項１または２に記載の装置（１）。
【請求項４】
少なくとも２つの前記固定タブ（４６）が押込み方向（１６）に並べて配置されていることを特徴とする、請求項３に記載の装置（１）。
【請求項５】
前記固定タブ（４６）は、前記コンタクトハウジング（１０）が前記外側ハウジング（８）に挿入されたときに前記シャフトの一部となる少なくとも１つの凹部（４８）を有することを特徴とする、請求項３または４に記載の装置（１）。
【請求項６】
前記装置（１）は、前記コンタクトハウジング（１０）が前記外側ハウジング（８）に挿入されている状態で、前記外側ハウジング（８）と前記コンタクトハウジング（１０）との間に位置するシール（３０）を有し、
前記固定タブ（４６）は、前記シール（３０）の他側まで前記挿入方向（４）に延びることを特徴とする、請求項３から５のいずれか一項に記載の装置（１）。
【請求項７】
前記少なくとも１つの凹部（４８）は、前記シール（３０）から前記挿入方向（４）に離間していることを特徴とする、請求項６に記載の装置（１）。
【請求項８】
前記少なくとも１つの凹部（４８）は、前記相手側コネクタ（６）に面した前記シール（３０）の側に位置することを特徴とする、請求項７に記載の装置（１）。
【請求項９】
前記少なくとも１つの固定シャフト（５２）は、前記コンタクトハウジング（１０）および／または前記外側ハウジング（８）の外壁（５３）に位置することを特徴とする、請求項３から８のいずれか一項に記載の装置（１）。
【請求項１０】
前記少なくとも１つのコンタクトレセプタクル（１２）は、少なくとも２つの前記固定タブ（４６）の間に位置することを特徴とする、請求項３から９のいずれか一項に記載の装置（１）。
【請求項１１】
前記押込み方向（１６）に互いに離間している前記固定要素（１４）の２つのキャッチ位置（２１、２２）が設けられ、前記固定要素（１４）と前記外側ハウジング（８）および／または前記コンタクトハウジング（１０）とは前記２つのキャッチ位置（２１、２２）で係合され、
前記少なくとも１つのコンタクトレセプタクル（１２）は、前記２つのキャッチ位置（２１、２２）のうちの一方において、前記固定要素（１４）により少なくとも部分的に塞がれていることを特徴とする、請求項３から１０のいずれか一項に記載の装置（１）。
【請求項１２】
両方の前記キャッチ位置（２１、２２）において、前記外側ハウジング（８）と前記コンタクトハウジング（１０）とは、前記固定要素（１４）によりポジティブロッキングで前記挿入方向（４）に互いに接続されていることを特徴とする、請求項１１に記載の装置（１）。
【請求項１３】
前記シャフト（１８）は前記少なくとも１つのコンタクトレセプタクル（１２）を横切ることを特徴とする、請求項１から１２のいずれか一項に記載の装置（１）。
【請求項１４】
前記固定要素（１４）は少なくとも２つの平行な脚部（３２）を有し、
前記固定タブ（４６）は、前記脚部（３２）の少なくとも一部を受けることのできる少なくとも２つの凹部（４８）を有することを特徴とする、請求項３から１２のいずれか一項に記載の装置（１）。
【請求項１５】
請求項１から１４のいずれか一項に記載の装置（１）を有するプラグ型コネクタ（２）。
【発明の詳細な説明】
【技術分野】
【０００１】
本発明は、相手側コネクタに挿入方向に組み付け可能な電気プラグ型コネクタの装置、およびそのようなプラグ型コネクタであって、外側ハウジングと、外側ハウジングに固定可能な別個のコンタクトハウジングであって、少なくとも１つの電気コンタクトを受けるための少なくとも１つのコンタクトレセプタクルを有するコンタクトハウジングとを有する装置またはプラグ型コネクタに関する。
【背景技術】
【０００２】
そのような装置およびプラグ型コネクタが公知である。外側ハウジングと、外側ハウジングとは別個のコンタクトハウジングとを使用することにより、１つの同じ外側ハウジングにおいて、異なるプラグ型接続部に対して異なるコネクタ面を取り替えて適合させることができる。
【発明の概要】
【発明が解決しようとする課題】
【０００３】
しかしながら、構造長さが３ｃｍ未満でライン断面がわずか０．１ｍｍ２である特に小さいまたは小型のプラグ型コネクタの場合、そのような装置の問題は、外側ハウジングとコンタクトハウジングとの接続が、通常、構造サイズが小さいことによる不十分な引張強度しか有していないことである。したがって、コネクタと相手側コネクタとの接続を解放しようとする際に、コンタクトハウジングが相手側コネクタに残って外側ハウジングから離れることになり得る。
【０００４】
本発明の目的はこの問題を克服することである。
【課題を解決するための手段】
【０００５】
この問題に対する解決策として、外側ハウジングとコンタクトハウジングとのポジティブロッキング接続のための固定要素を有する装置であって、この固定要素を、挿入方向に対して横断方向に延びる押込み方向で少なくとも１つのシャフトに挿入することができ、シャフトは、外側ハウジングに完全に挿入されているコンタクトハウジングと外側ハウジングとを通って延びる装置が提供される。
【０００６】
この解決策では、シャフトに挿入される固定要素により、コンタクトハウジングと外側ハウジングとが互いに接続される。これにより、外側ハウジングとコンタクトハウジングとの接続の引張強度が高まるため、これら２つの部材は、プラグ型コネクタと相手側コネクタとの接続を解放したときに、互いに分離され得なくなる。
【０００７】
本発明による解決策は、各々それ自体有利であり、互いに自由に組み合わせることのできる以下の実施形態により、さらに改良することができる。
【０００８】
したがって、第１の有利な実施形態によれば、固定要素を、少なくとも１つのコンタクトレセプタクルに少なくとも１つのコンタクトを固定するためのコンタクト固定部材として同時に使用することができる。特に、少なくとも１つの電気コンタクトを、コンタクト固定部材によりポジティブロッキングでコンタクトレセプタクルに固定することができる。
【０００９】
シャフトは、例えば、固定要素をコンタクト固定部材としても使用できるように、少なくとも１つのコンタクトレセプタクルを通って延びることができる。
【００１０】
固定要素がシャフトに完全に挿入されると、このコンタクトのコンタクトレセプタクルは、固定要素により少なくとも部分的に塞がれ、閉鎖され、かつ／または貫通されることが可能になり、コンタクトをコンタクトレセプタクルに固定することができる。
【００１１】
挿入方向に延び、外側ハウジングおよび／またはコンタクトハウジングの、挿入方向に延びる固定シャフトに導入可能であるように構成されている少なくとも１つの固定タブを、コンタクトハウジングおよび／または外側ハウジングに設けることができる。固定タブは、プラグ型コネクタを組み立てたときに、少なくとも１つのシャフトの少なくとも一部を形成するか、または少なくとも１つのシャフトがこれを横切る。
【００１２】
少なくとも１つの固定タブを、例えば、外側ハウジングに構成してもよく、コンタクトハウジングの固定シャフトに導入しても導入可能にしてもよい。固定要素を受けるためのシャフトは固定シャフトを横切ることができるため、固定要素が挿入されると、固定タブは少なくとも挿入方向にポジティブロッキングで固定される。さらなる変形形態では、少なくとも１つの固定タブを外側ハウジングに構成してもよく、または少なくとも１つの固定タブを外側ハウジングに構成し、少なくとも１つの追加の固定タブをコンタクトハウジングに構成してもよい。後者の場合には、コンタクトハウジングおよび外側ハウジングの両方にそれぞれ固定シャフトを設ける。少なくとも１つの固定タブを平坦部材として構成し、その平坦面が押込み方向に対して横断方向に延びるようにしてもよい。
【００１３】
動作の確実性を高めるために、少なくとも２つの、特に平行な固定タブを押込み方向に並べて配置してもよい。本実施形態において、２つの固定シャフトが押込み方向に並んで位置し、固定要素を受けることのできるまたは受ける少なくとも１つのシャフトがこれを横切ることが好ましい。
【００１４】
プラグ型コネクタを組み立てるときに、１つ、２つまたはそれ以上の固定シャフトと、対応する数の固定タブとを、コンタクトハウジングまたは外側ハウジングの外壁に配置することができる。別の有利な実施形態によれば、２つ以上の固定シャフトを設ける場合、少なくとも１つのコンタクトレセプタクル、好ましくはすべてのコンタクトレセプタクルを、２つの固定シャフトおよび／または２つの固定タブの間に位置させてもよい。外壁を、少なくとも１つのコンタクトレセプタクルと、コンタクトハウジングおよび／または外側ハウジングの外面との間に位置させてもよい。
【００１５】
別の有利な実施形態によれば、少なくとも１つの固定タブは、コンタクトハウジングが外側ハウジングに挿入されたときにシャフトの一部となる少なくとも１つの凹部を有していてもよい。この凹部により、固定タブを固定要素によって固定シャフトに固定することができる。一実施形態において、固定要素は、シャフトに押し込まれると凹部を通って延びる。固定タブが固定シャフトに恒久的に挿入されている状態で、凹部は挿入方向および挿入方向と反対方向の両方のアンダカットを有することが好ましい。この場合、アンダカットは、固定タブが固定シャフトに完全に挿入されている場合にシャフトの壁に位置合わせされ、固定要素と共に、挿入方向に作用するポジティブロッキング接続を形成することが好ましい。
【００１６】
別の実施形態によれば、固定タブは、外側ハウジングに形成され、コンタクトハウジングの少なくとも一部を受けることのできるレセプタクルの両側で挿入方向に突出することができる。これにより、固定タブは、組立てをより容易にするガイドを形成する。
【００１７】
簡略化した変形形態において、単一のアンダカットのみを設けてもよく、このアンダカットは、一方向のみに作用し、固定要素を挿入したときに外側ハウジングとコンタクトハウジングとが引き離されることを阻止する。そのような実施形態において、外側ハウジングとコンタクトハウジングとがさらに嵌合する反対方向への動きを、別の位置に配置された止め具により防止することができる。
【００１８】
別の有利な実施形態によれば、装置または電気プラグ型コネクタの液密性を高めるために、装置は、コンタクトハウジングが外側ハウジングに挿入されている状態で、外側ハウジングとコンタクトハウジングとの間、特に外側ハウジングとコンタクトハウジングとの分離ジョイントに位置するシール、特に半径方向シールを有していてもよい。シャフトは、シールの相手側コネクタに面した側に位置することが好ましい。相手側コネクタとプラグインコネクタとを組み立てるときに、シャフトは相手側コネクタにより覆われることが好ましい。そのような実施形態において、シールは、水分および埃がシャフトに導入されることを防ぐ。
【００１９】
シール効果を高めるために、少なくとも１つの固定タブは、シールの他側まで挿入方向に延びていてもよい。少なくとも１つの凹部は、シールまたは分離ジョイントから挿入方向に離間していてもよく、それぞれの固定タブを有するコンタクトハウジングおよび／または外側ハウジングから見たときに、シールまたは分離ジョイントの他側に位置する固定タブの側に位置していてもよい。
【００２０】
別の有利な実施形態によれば、押込み方向に互いに離間している固定要素の２つのキャッチ位置を設けてもよく、固定要素と外側ハウジングおよび／またはコンタクトハウジングとをそのキャッチ位置で係合させてもよい。この場合、少なくとも１つのコンタクトレセプタクルを、固定要素の押込み方向における後キャッチ位置で、固定要素により少なくとも部分的に塞ぐことができる。したがって、外側ハウジングおよびコンタクトハウジングの両方と少なくとも１つのコンタクトとを、この位置でコンタクトレセプタクルに固定することができる。
【００２１】
両方のキャッチ位置で、外側ハウジングとコンタクトハウジングとは、固定要素によりポジティブロッキングで互いに接続されていることが好ましい。押込み方向における前キャッチ位置で、少なくとも１つのコンタクトレセプタクルを固定要素から解放することができる。したがって、外側ハウジングおよびコンタクトハウジングが固定要素によりすでに固定されたままで、少なくとも１つのコンタクトを少なくとも１つのコンタクトレセプタクルに挿入することができる。
【００２２】
少なくとも１つのシャフトは、両端部が開いていてもよい。これにより、挿入された固定要素を一端部から押シャフト外へ押し出すことができる。
【００２３】
別の実施形態によれば、固定要素は、好ましくは単一の不完全な挿入状態のみで少なくとも１つのコンタクトレセプタクルに位置合わせされる少なくとも１つのコンタクト凹部を有していてもよい。コンタクトレセプタクルおよびコンタクト凹部が位置合わせされると、コンタクトをそれぞれのコンタクトレセプタクルに挿入することができる。
【００２４】
固定要素は少なくとも２つの平行な脚部を有していてもよく、２つの脚部を受けるための少なくとも２つの平行なシャフトを設けてもよい。しかしながら、２つの脚部を共に単一のシャフトに挿入することも可能である。固定作用を高めるために、少なくとも１つの固定タブは少なくとも２つの凹部を有していてもよく、固定タブがそれに関連する固定シャフトに完全に導入され、固定要素がシャフトに位置している場合に、固定要素の脚部は各凹部を通って延びることができる。
【００２５】
以下で、実施形態および添付図面を参照しながら例示により本発明を説明する。上記の説明に従って、説明する実施形態の技術的効果が特定の適用において重要な態様ではない場合には、実施形態の個々の特徴を省略することができる。逆に、実施形態には存在しないが上記の一般的な説明に記載されている特徴を、その存在しない特徴の技術的効果が特定の適用において重要である場合は追加してよい。
【図面の簡単な説明】
【００２６】
【図１】本発明による装置の概略斜視分解図である。
【図２】本発明による装置の概略斜視断面図である。
【図３】図２の装置の概略斜視断面図である。
【図４】本発明による装置の外側ハウジングの概略斜視図である。
【図５】本発明による装置のコンタクトハウジングの概略斜視図である。
【発明を実施するための形態】
【００２７】
まず、図１を参照して、プラグ型コネクタ２の装置１の構造および機能について説明する。
【００２８】
プラグ型コネクタ２を相手側コネクタ６に挿入方向４に組み付けて、電気接続を生じさせる。
【００２９】
装置１は、コンタクトハウジング１０を受けることのできる外側ハウジング８を備える。コンタクトハウジング１０は少なくとも１つのコンタクトレセプタクル１２を備え、コンタクトレセプタクル１２に電気コンタクト１３（図２および図３）を導入することができるまたは挿入する。
【００３０】
外側ハウジング８およびコンタクトハウジング１０は、挿入方向４に平行に共に結合され、コンタクトハウジング１０は外側ハウジング８に挿入される。固定要素１４が、外側ハウジング８とコンタクトハウジング１０とを共に挿入方向４に沿って保持する。この接続を生じさせるために、固定要素１４は少なくとも１つのシャフト１８に押込み方向１６に導入される。シャフト１８は、外側ハウジング８およびコンタクトハウジング１０の両方を通って延びる。少なくとも１つのシャフト１８は、好ましくは外側ハウジング８に位置する２つの端部２０で開口する。
【００３１】
固定要素１４を、押込み方向１６に互いに離間している２つのキャッチ位置２１、２２で係合させることができる。そのような係合は、例えば、固定要素のキャッチ突起２４と、キャッチ突起に対応し、かつキャッチ位置２１、２２を画定するキャッチレセプタクル２６とによってもたらすことができる。当然、図１に示すこの変形形態の代わりに、押込み方向１６に互いに離間している２つのキャッチ突起２４と、１つのみのキャッチレセプタクル２６とを設けてもよい。少なくとも１つのキャッチ突起２４を、外側ハウジングまたはコンタクトハウジングに配置してもよく、少なくとも１つのキャッチレセプタクル２６を固定要素に配置してもよい。
【００３２】
押込み方向１６における第１のキャッチ位置２１は、押込み方向における第２のキャッチ位置２２の前に位置する。第２のキャッチ位置２２において、固定要素１４は少なくとも１つのシャフト１８に完全に押し込まれる。外側ハウジング８とコンタクトハウジング１０とは互いに接続される。同時に、少なくとも１つのコンタクトも、固定要素１４により、少なくとも１つのコンタクトレセプタクル１２に固定される。
【００３３】
固定要素１４は、第１のキャッチ位置２１で少なくとも１つのコンタクトレセプタクル１２に位置合わせされる少なくとも１つのコンタクト凹部２８を有しているため、第１のキャッチ位置で、コンタクト１３をコンタクトレセプタクル１２に挿入することができると共に、外側ハウジングとコンタクトハウジングとは固定要素１４によりすでに互いに接続されている。
【００３４】
装置１は、シール３０、特に半径方向シールをさらに有する。
【００３５】
装置１により形成されるプラグ型コネクタ２は、全長３０ｍｍ未満の小型コネクタである。プラグ型コネクタ２で使用されるコンタクト１３は、最小０．１ｍｍ２の非常に小さいライン断面に適している
【００３６】
固定要素１４は、図１に示すように、実質的にＵ字形に構成され、それぞれのシャフト１８が関連する２つの脚部３２を有することができる。コンタクト凹部２８を、脚部の一方のみに配置してもよい。キャッチ突起２４を同様に配置してもよい。
【００３７】
図２は、プラグ型コネクタ２を形成し、マットシール３４およびシールホルダ３６をケーブル側端部３８に有する装置１を示す。シールホルダ３６は、外側ハウジング８に係合している。マットシール３４は、好ましくはわずかに圧縮された状態で、シールホルダ３６と外側ハウジング８および／またはコンタクトハウジング１０との間に位置する。
【００３８】
図２において、固定要素１４は第１のキャッチ位置にある。少なくとも１つのコンタクトレセプタクル１２（３つのコンタクトレセプタクルが単に例示の目的で図２に示される）が、固定要素１４のコンタクト凹部２８に位置合わせされていることがわかる。開口部２０もシャフト１８の端部に見られる。
【００３９】
固定要素１４が、図２に示す第１のキャッチ位置２１から第２のキャッチ位置２２へ押込み方向１６に動くと、コンタクトレセプタクル１２は固定要素１４により部分的に閉鎖され、コンタクトレセプタクル１２に挿入されたコンタクトはポジティブロッキングで固定される。
【００４０】
外側ハウジング８とコンタクトハウジング１０とを固定要素１４により少なくとも挿入方向４に互いに接続するために、図４に示すように、外側ハウジング８は挿入方向４に延びる少なくとも１つの固定タブ４６を備える。固定タブ４６は、好ましくは射出成形された外側ハウジング８の一体部品である。固定タブ４６は、少なくとも１つのシャフトに押込み方向１６に位置合わせされた少なくとも１つの、例えば多角形、特に矩形の凹部４８を有することが好ましい。図４に示すように、複数のシャフト１８に位置合わせされた複数の凹部４８、例えば２つの凹部４８を１つの固定タブ４６に設けてもよい。
【００４１】
固定タブ４６は平坦部材であり、その平坦面４７が押込み方向１６に対して横断方向に延びる。
【００４２】
図４に示すように、外側ハウジング８は、特に互いに平行に延びる２つ以上の固定タブ４６を有していてもよい。固定タブ４６の間にレセプタクル５０が位置し、このレセプタクル５０にコンタクトハウジング１０を少なくとも部分的に導入することができるようになっていてもよい。固定タブ４６は、レセプタクル５０の両側で挿入方向４に突出するため、同時にコンタクトハウジングのガイドとしても使用される。
【００４３】
固定タブ４６を受けるために、コンタクトハウジング１０は少なくとも１つの固定シャフト５２を有していてもよい。固定シャフト５２は少なくとも１つのシャフト１８を横切って、２つのシャフト１８、５２が互いに部分的に通過するようになっている。少なくとも１つのコンタクトレセプタクル１２は、少なくとも部分的に２つの固定シャフト５２の間に位置し、図５によれば、図４に示す実施形態における外側ハウジング８の２つの固定タブ４６を固定シャフト５２に導入することができる。固定シャフト５２を外壁５３に構成してもよい。外壁５３はコンタクトハウジング１０の外面５４を形成し、内面でコンタクトレセプタクル１２に接する。
【００４４】
図４および図５に見られるように、追加のキャッチ接続部５５を外側ハウジング８およびコンタクトハウジング１０に設けて、外側ハウジング８とコンタクトハウジング１０とをさらに固定してもよい。
【００４５】
図３は、キャッチ位置２２で完全組立状態の、装置１または電気プラグ型コネクタ２を示す。少なくとも１つのシャフト１８に導入された固定要素１４が、固定タブ４６の凹部４８を貫通していることがわかる。コンタクトハウジング１０を外側ハウジング８から取り外そうとしても、固定タブ４６のアンダカット５８が、少なくとも１つのシャフト１８に受けられた固定要素１４に当たる。
【００４６】
図３は、シール３０が、外側ハウジング８とコンタクトハウジング１０との間をシールするように支持され、したがって外側ハウジング８とコンタクトハウジング１０との分離ジョイント６０をシールする様子をさらに示す。プラグ型コネクタ２と相手側コネクタ６とが互いに接続されると、シール３０の外周面６２は、相手側コネクタの内面（図示せず）にさらに当接することにより、相手側コネクタ６とプラグ型コネクタ２との分離ジョイント６０をシールする。
【００４７】
固定タブ４６は、シール３０または分離ジョイント６０から挿入方向４に離間している。特に、少なくとも１つのシャフト１８は、シール３０の相手側コネクタ６（図１）に面した側、またはシール３０から挿入方向４に離間した分離ジョイント６０の側に位置する。
【符号の説明】
【００４８】
１  装置
２  電気プラグ型コネクタ
４  挿入方向
６  相手側コネクタ
８  外側ハウジング
１０  コンタクトハウジング
１２  コンタクトレセプタクル
１３  コンタクト
１４  固定要素
１６  押込み方向
１８  シャフト
２０  シャフトの端部／シャフトの開口部
２１  第１のキャッチ位置
２２  第２のキャッチ位置
２４  キャッチ突起
２６  キャッチレセプタクル
２８  コンタクト凹部
３０  （半径方向）シール
３２  脚部
３４  マットシール
３６  シールホルダ
３８  ケーブル側端部
４６  固定タブ
４７  平坦面
４８  凹部
５０  レセプタクル
５２  固定シャフト
５３  外壁
５４  外面
５５  キャッチ接続部
５８  アンダカット
６０  分離ジョイント
６２  外周面
【図１】
2019526917.tif 000003
【図２】
2019526917.tif 000004
【図３】
2019526917.tif 000005
【図４】
2019526917.tif 000006
【図５】
2019526917.tif 000007
【国際調査報告】
2019526917.tif 000008
2019526917.tif 000009
2019526917.tif 000010